(57)【要約】【課題】ＴｏＤｏのリマインダーを受信者のタイムゾーンに適合させて、業務効率性を増進させることができるチャットルーム基盤のリマインダー方法及び装置を提供する。【解決手段】チャットルーム基盤のリマインダー方法は、（ａ）ユーザ端末と関連したチャットルームに対応するメッセージスレッド及びメッセージスレッドと関連し、少なくとも一つのＴｏＤｏアイテムに関するＴｏＤｏアイテム集合を持ってくるステップ、（ｂ）ＴｏＤｏアイテム集合でリマインド条件を満たす少なくとも一つのリマインドＴｏＤｏアイテムを含むリマインダー集合を生成するステップ、（ｃ）少なくとも一つのリマインドＴｏＤｏアイテムに関して該当リマインドメッセージを生成するステップ、及び（ｄ）該当ＴｏＤｏ受信者のタイムゾーンを検出し、前記該当ＴｏＤｏ受信者の受信可能時間まで該当リマインドメッセージを該当メッセージスレッドに追加することを遅延させるステップを含む。【選択図】図２
2018077847.tif 000002
【特許請求の範囲】
【請求項１】
少なくとも一つのユーザ端末と連結されたチャットルーム基盤のリマインダー装置により遂行されるチャットルーム基盤のリマインダー方法であって、
（ａ）ユーザ端末と関連したチャットルームに対応するメッセージスレッド及び前記メッセージスレッドと関連し、ＴｏＤｏ受信者、ＴｏＤｏ提供者、ＴｏＤｏ内容、ＴｏＤｏ状態、及び締切期限を含む少なくとも一つのＴｏＤｏアイテムに関するＴｏＤｏアイテム集合を持ってくるステップと、
（ｂ）前記ＴｏＤｏアイテム集合でリマインド条件を満たす少なくとも一つのリマインドＴｏＤｏアイテムを含むリマインダー集合を生成するステップと、
（ｃ）前記少なくとも一つのリマインドＴｏＤｏアイテムの各々に関して該当リマインドメッセージを生成するステップと、
（ｄ）該当ＴｏＤｏ受信者のタイムゾーンを検出し、前記該当ＴｏＤｏ受信者の受信可能時間まで前記該当リマインドメッセージを該当メッセージスレッドに追加することを遅延させるステップと、
を含む、チャットルーム基盤のリマインダー方法。
【請求項２】
前記リマインド条件は、
前記ＴｏＤｏ状態及び締切期限のうち、少なくとも一つに基づいて決定されることを特徴とする、請求項１に記載のチャットルーム基盤のリマインダー方法。
【請求項３】
前記（ｂ）ステップは、前記リマインド条件を満たす少なくとも一つのリマインドＴｏＤｏアイテムの各々の該当ＴｏＤｏ状態及び締切期限に基づいてリマインド緊急性を判断するステップを含み、
前記（ｃ）ステップは、前記リマインド緊急性に基づいて前記該当リマインドメッセージの生成頻度を決定するステップを含むことを特徴とする、請求項２に記載のチャットルーム基盤のリマインダー方法。
【請求項４】
前記（ｄ）ステップは、
前記該当ＴｏＤｏ受信者から受信された前記タイムゾーンに関する固定要請が確認されなければ、前記該当ＴｏＤｏ受信者と関連したユーザ端末のローカルタイムに基づいて前記タイムゾーンを検出し、確認されれば、前記固定要請に基づいて前記タイムゾーンを検出するステップを含むことを特徴とする、請求項１に記載のチャットルーム基盤のリマインダー方法。
【請求項５】
前記（ｂ）ステップは、
前記少なくとも一つのリマインドＴｏＤｏアイテムに基づいて今日のＴｏＤｏを前記ユーザ端末に提供するステップを含むことを特徴とする、請求項１に記載のチャットルーム基盤のリマインダー方法。
【請求項６】
前記（ｃ）ステップは
前記少なくとも一つのリマインドＴｏＤｏアイテムの各々の要約情報を含み、該当ＴｏＤｏ状態を次のＴｏＤｏ状態に変更できる前記該当リマインドメッセージを生成するステップを含むことを特徴とする、請求項１に記載のチャットルーム基盤のリマインダー方法。
【請求項７】
前記（ａ）ステップは、
前記少なくとも一つのＴｏＤｏアイテムの各々に関して該当メッセージスレッドに既に追加されたリマインドメッセージの提供回数に基づいてＴｏＤｏ処理速度を算出して該当ＴｏＤｏアイテムに含めるステップを含むことを特徴とする、請求項１に記載のチャットルーム基盤のリマインダー方法。
【請求項８】
（ｅ）前記ユーザ端末が前記ユーザ端末と関連したチャットルームに対応する特定メッセージスレッドに特定ＴｏＤｏアイテムの追加を要請すれば、該当ＴｏＤｏ受信者のタイムゾーンを検出し、前記該当ＴｏＤｏ受信者の受信可能時間まで該当ＴｏＤｏアイテムを該当メッセージスレッドに追加することを遅延させるステップをさらに含むことを特徴とする、請求項１に記載のチャットルーム基盤のリマインダー方法。
【請求項９】
ユーザ端末と関連したチャットルームに対応するメッセージスレッド及び前記メッセージスレッドと関連し、ＴｏＤｏ受信者、ＴｏＤｏ提供者、ＴｏＤｏ内容、ＴｏＤｏ状態、及び締切期限を含む少なくとも一つのＴｏＤｏアイテムに関するＴｏＤｏアイテム集合を持ってくるＴｏＤｏアイテム集合準備部と、
前記ＴｏＤｏアイテム集合でリマインド条件を満たす少なくとも一つのリマインドＴｏＤｏアイテムを含むリマインダー集合を生成するリマインダー集合生成部と、
前記少なくとも一つのリマインドＴｏＤｏアイテムの各々に関して該当リマインドメッセージを生成するリマインドメッセージ生成部と、
該当ＴｏＤｏ受信者のタイムゾーンを検出し、前記該当ＴｏＤｏ受信者の受信可能時間まで前記該当リマインドメッセージを該当メッセージスレッドに追加することを遅延させるタイムゾーン−リマインド管理部と、
を含む、チャットルーム基盤のリマインダー装置。
【請求項１０】
少なくとも一つのユーザ端末と連結されたチャットルーム基盤のリマインダー装置により遂行されるチャットルーム基盤のリマインダー方法を記録した記録媒体であって、前記チャットルーム基盤のリマインダー方法は、
（ａ）ユーザ端末と関連したチャットルームに対応するメッセージスレッド及び前記メッセージスレッドと関連し、ＴｏＤｏ受信者、ＴｏＤｏ提供者、ＴｏＤｏ内容、ＴｏＤｏ状態、及び締切期限を含む少なくとも一つのＴｏＤｏアイテムに関するＴｏＤｏアイテム集合を持ってくるステップと、
（ｂ）前記ＴｏＤｏアイテム集合でリマインド条件を満たす少なくとも一つのリマインドＴｏＤｏアイテムを含むリマインダー集合を生成するステップと、
（ｃ）前記少なくとも一つのリマインドＴｏＤｏアイテムの各々に関して該当リマインドメッセージを生成するステップと、
（ｄ）該当ＴｏＤｏ受信者のタイムゾーンを検出し、前記該当ＴｏＤｏ受信者の受信可能時間まで前記該当リマインドメッセージを該当メッセージスレッドに追加することを遅延させるステップと、
を含む記録媒体。
【発明の詳細な説明】
【技術分野】
【０００１】
本発明はチャットルーム基盤のリマインダー技術に関し、より詳しくは、ＴｏＤｏに関するリマインダーをＴｏＤｏ受信者のタイムゾーンに適合するように提供して業務効率性を増進させることができるチャットルーム基盤のリマインダー方法及び装置に関する。
【背景技術】
【０００２】
インターネットメッセンジャーはユーザの間の文字またはグラフィックを含むメッセージを伝達するアプリケーションに該当し、複数のユーザにより参加されるチャットルームで具現できる。一実施形態で、インターネットメッセンジャーはモバイル環境（例えば、携帯電話）で遂行されるモバイルメッセンジャーを含むことができ、例えば、カカオトーク、ライン、Ｗｅｃｈａｔ、フェースブック（登録商標）メッセンジャーを含むことができる。
【０００３】
インターネットメッセンジャーは、メッセージを通じて相手方にユーザの意思を伝達することを支援するために、相手方のメッセージ確認有無及び相手方のチャットルーム参加状態をユーザに知らせることができる。インターネットメッセンジャーを使用するユーザの数が急増するにつれてモバイル環境で使われるアプリケーションも非常に多様に開発されており、そのうち、ＴｏＤｏ管理プログラムは多くのユーザにより使われている。
【０００４】
従来のインターネットメッセンジャー基盤のＴｏＤｏ管理プログラムは、ＴｏＤｏ管理効率性を増進させるためにＴｏＤｏに関するリマインダーを提供することができる。従来技術はリマインダーを提供するに当たってリアルタイムに変化できる受信者の状況を反映できず、ＴｏＤｏ進行状態によってリマインド対象が変更できる状況で主要受信者に適合したリマインダーを提供できない短所がある。
【０００５】
韓国登録特許第１０−１５０６２７２号公報は、コンピューティングデバイス上で実行されるインスタントメッセージングアプリケーションでリマインダーを提供するための方法であって、前記方法はインスタントメッセージングアプリケーションからテキスト入力を受信するステップを含む。前記テキスト入力の受信に応答して、リマインダー−トリガリング条件がテキスト入力内の予め決定されたシンボルに基づいて決定される。リマインダーに対するリマインダー−トリガリング条件を含むインスタントメッセージが送信される。
【０００６】
韓国公開特許公報第１０−２００９−００９４３４４号公報は将来のリマインダーをトリガーする活性メッセージング方法であって、約束リマインダーを提供する方法は：約束リマインダーメッセージを生成するステップ；第１当事者の第１デバイスから第２当事者の第２デバイスに約束リマインダーメッセージを転送するステップ；第１時点に前記第２デバイスで約束リマインダーメッセージを受信するステップ；約束リマインダーメッセージを第２デバイスに格納するステップ；及び第１時点後の第２時点に第２デバイスに格納された約束リマインダーメッセージを活性化するステップを含む。
【先行技術文献】
【特許文献】
【０００７】
【特許文献１】韓国登録特許第１０−１５０６２７２号公報
【特許文献２】韓国公開特許第１０−２００９−００９４３４４号公報
【発明の概要】
【発明が解決しようとする課題】
【０００８】
本発明の一実施形態は、ＴｏＤｏに関するリマインダーをＴｏＤｏ受信者のタイムゾーンに適合するように提供して業務効率性を増進させることができるチャットルーム基盤のリマインダー方法及び装置を提供しようとする。
【０００９】
本発明の一実施形態は、ＴｏＤｏの進行状態によってリマインド対象が変更される状況を考慮し、リマインドに関する主要受信者のローカルタイム基準に受信可能時間を反映して最適化されたリマインドメッセージを提供することができるチャットルーム基盤のリマインダー方法及び装置を提供しようとする。
【００１０】
本発明の一実施形態は、ユーザ端末と関連したリマインドＴｏＤｏアイテムに基づいて今日のＴｏＤｏを提供することができるチャットルーム基盤のリマインダー方法及び装置を提供しようとする。
【課題を解決するための手段】
【００１１】
実施形態のうち、チャットルーム基盤のリマインダー方法は、少なくとも一つのユーザ端末と連結されたチャットルーム基盤のリマインダー装置により遂行され、（ａ）ユーザ端末と関連したチャットルームに対応するメッセージスレッド及び前記メッセージスレッドと関連し、ＴｏＤｏ受信者、ＴｏＤｏ提供者、ＴｏＤｏ内容、ＴｏＤｏ状態、及び締切期限を含む少なくとも一つのＴｏＤｏアイテムに関するＴｏＤｏアイテム集合を持ってくるステップ、（ｂ）前記ＴｏＤｏアイテム集合でリマインド条件を満たす少なくとも一つのリマインドＴｏＤｏアイテムを含むリマインダー集合を生成するステップ、（ｃ）前記少なくとも一つのリマインドＴｏＤｏアイテムの各々に関して該当リマインドメッセージを生成するステップ、及び（ｄ）該当ＴｏＤｏ受信者のタイムゾーンを検出し、前記該当ＴｏＤｏ受信者の受信可能時間まで前記該当リマインドメッセージを該当メッセージスレッドに追加することを遅延させるステップを含む。
【００１２】
前記リマインド条件は、前記ＴｏＤｏ状態及び締切期限のうち、少なくとも一つに基づいて決定できる。
【００１３】
前記（ｂ）ステップは前記リマインド条件を満たす少なくとも一つのリマインドＴｏＤｏアイテムの各々の該当ＴｏＤｏ状態及び締切期限に基づいてリマインド緊急性を判断するステップを含むことができ、前記（ｃ）ステップは前記リマインド緊急性に基づいて前記該当リマインドメッセージの生成頻度を決定するステップを含むことができる。
【００１４】
前記（ｄ）ステップは、前記該当ＴｏＤｏ受信者から受信された前記タイムゾーンに関する固定要請が確認されなければ、前記該当ＴｏＤｏ受信者と関連したユーザ端末のローカルタイムに基づいて前記タイムゾーンを検出し、確認されれば、前記固定要請に基づいて前記タイムゾーンを検出するステップを含むことができる。
【００１５】
前記（ｂ）ステップは、前記少なくとも一つのリマインドＴｏＤｏアイテムに基づいて今日のＴｏＤｏを前記ユーザ端末に提供するステップを含むことができる。
【００１６】
前記（ｃ）ステップは、前記少なくとも一つのリマインドＴｏＤｏアイテムの各々の要約情報を含み、該当ＴｏＤｏ状態を次のＴｏＤｏ状態に変更することができる前記該当リマインドメッセージを生成するステップを含むことができる。
【００１７】
前記（ａ）ステップは、前記少なくとも一つのＴｏＤｏアイテムの各々に関して該当メッセージスレッドに既に追加されたリマインドメッセージの提供回数に基づいてＴｏＤｏ処理速度を算出して該当ＴｏＤｏアイテムに含めるステップを含むことができる。
【００１８】
前記チャットルーム基盤のリマインダー装置は、（ｅ）前記ユーザ端末が前記ユーザ端末と関連したチャットルームに対応する特定メッセージスレッドに特定ＴｏＤｏアイテムの追加を要請すれば、該当ＴｏＤｏ受信者のタイムゾーンを検出し、前記該当ＴｏＤｏ受信者の受信可能時間まで該当ＴｏＤｏアイテムを該当メッセージスレッドに追加することを遅延させるステップをさらに含むことができる。
【００１９】
実施形態のうち、チャットルーム基盤のリマインダー装置は、ユーザ端末と関連したチャットルームに対応するメッセージスレッド及び前記メッセージスレッドと関連し、ＴｏＤｏ受信者、ＴｏＤｏ提供者、ＴｏＤｏ内容、ＴｏＤｏ状態、及び締切期限を含む少なくとも一つのＴｏＤｏアイテムに関するＴｏＤｏアイテム集合を持ってくるＴｏＤｏアイテム集合準備部、前記ＴｏＤｏアイテム集合でリマインド条件を満たす少なくとも一つのリマインドＴｏＤｏアイテムを含むリマインダー集合を生成するリマインダー集合生成部、前記少なくとも一つのリマインドＴｏＤｏアイテムの各々に関して該当リマインドメッセージを生成するリマインドメッセージ生成部、及び該当ＴｏＤｏ受信者のタイムゾーンを検出し、前記該当ＴｏＤｏ受信者の受信可能時間まで前記該当リマインドメッセージを該当メッセージスレッドに追加することを遅延させるタイムゾーン−リマインド管理部を含む。
【００２０】
実施形態のうち、記録媒体は少なくとも一つのユーザ端末と連結されたチャットルーム基盤のリマインダー装置により遂行されるチャットルーム基盤のリマインダー方法を記録し、前記チャットルーム基盤のリマインダー方法は、（ａ）ユーザ端末と関連したチャットルームに対応するメッセージスレッド、及び前記メッセージスレッドと関連し、ＴｏＤｏ受信者、ＴｏＤｏ提供者、ＴｏＤｏ内容、ＴｏＤｏ状態、及び締切期限を含む少なくとも一つのＴｏＤｏアイテムに関するＴｏＤｏアイテム集合を持ってくるステップ、（ｂ）前記ＴｏＤｏアイテム集合でリマインド条件を満たす少なくとも一つのリマインドＴｏＤｏアイテムを含むリマインダー集合を生成するステップ、（ｃ）前記少なくとも一つのリマインドＴｏＤｏアイテムの各々に関して該当リマインドメッセージを生成するステップ、及び（ｄ）該当ＴｏＤｏ受信者のタイムゾーンを検出し、前記該当ＴｏＤｏ受信者の受信可能時間まで前記該当リマインドメッセージを該当メッセージスレッドに追加することを遅延させるステップを含む。
【発明の効果】
【００２１】
開示された技術は、次の効果を有することができる。但し、特定の実施形態が次の効果を全部含まなければならないとか、次の効果のみを含まなければならないという意味ではないので、開示された技術の権利範囲はこれによって制限されることと理解されてはならない。
【００２２】
本発明の一実施形態に従うチャットルーム基盤のリマインダー方法及び装置は、ＴｏＤｏに関するリマインダーをＴｏＤｏ受信者のタイムゾーンに適合するように提供して業務効率性を増進させることができる。
【００２３】
本発明の一実施形態に従うチャットルーム基盤のリマインダー方法及び装置は、ＴｏＤｏの進行状態によってリマインド対象が変更される状況を考慮し、リマインドに関する主要受信者のローカルタイム基準に受信可能時間を反映して最適化したリマインドメッセージを提供することができる。
【００２４】
本発明の一実施形態に従うチャットルーム基盤のリマインダー方法及び装置は、ユーザ端末と関連したリマインドＴｏＤｏアイテムに基づいて今日のＴｏＤｏを提供することができる。
【図面の簡単な説明】
【００２５】
【図１】本発明の一実施形態に従うチャットルーム基盤のリマインダーシステムを説明する図である。
【図２】図１のチャットルーム基盤のリマインダー装置を説明するブロック図である。
【図３】図１のチャットルーム基盤のリマインダー装置がＴｏＤｏアイテムに関するリマインドメッセージを提供する過程の一実施形態を説明するフローチャートである。
【図４】図１のチャットルーム基盤のリマインダー装置がＴｏＤｏアイテムに関するリマインドメッセージを提供する過程の一実施形態を説明するフローチャートである。
【図５】図１のチャットルーム基盤のリマインダー装置がユーザ端末を通じて該当関連したチャットルームにリマインドメッセージを提供する過程を示す図である。
【図６】図１のチャットルーム基盤のリマインダー装置がユーザ端末を通じてリマインドメッセージに関するユーザ指定の設定メニューを提供する過程を示す図である。
【図７】図１のチャットルーム基盤のリマインダー装置がユーザ端末を通じて今日のＴｏＤｏを提供する過程を示す図である。
【発明を実施するための形態】
【００２６】
本発明に関する説明は構造的または機能的説明のための実施形態に過ぎないので、本発明の権利範囲は本文に説明された実施形態によって制限的に解析されてはならない。即ち、実施形態は多様な変更が可能であり、多様な形態を有することができるので、本発明の権利範囲は技術的思想を実現することができる均等物を含むものとして理解されるべきである。また、本発明で提示された目的または効果は、特定の実施形態がこれを全部含まなければならないとか、そのような効果のみを含まなければならないという意味ではないので、本発明の権利範囲はこれによって制限されるものとして理解されてはならない。
【００２７】
一方、本出願で叙述される用語の意味は、次のように理解されるべきである。
【００２８】
“第１”、“第２”などの用語は一つの構成要素を他の構成要素から区別するためのものであって、これら用語により権利範囲が限定されてはならない。例えば、第１構成要素は第２構成要素として命名されることができ、同様に第２構成要素も第１構成要素として命名できる。
【００２９】
ある構成要素が他の構成要素に“連結されて”いると言及された時には、該他の構成要素に直接的に連結されることもあるが、中間に他の構成要素が存在することもあると理解されるべきである。一方、ある構成要素が他の構成要素に“直接連結されて”いると言及された時には、中間に他の構成要素が存在しないことと理解されるべきである。一方、構成要素の間の関係を説明する他の表現、即ち“〜間に”と“直ちに〜間に”または“〜に隣り合う”と“〜に直接隣り合う”なども同様に解析されるべきである。
【００３０】
単数の表現は文脈上、明白に異なる意味を有しない限り、複数の表現を含むと理解されるべきであり、“含む”または“有する”などの用語は実施された特徴、数字、ステップ、動作、構成要素、部分品、またはこれらを組み合わせたものが存在することを指定しようとするものであり、一つまたはその以上の他の特徴や数字、ステップ、動作、構成要素、部分品、またはこれらを組み合わせたものの存在または付加可能性を予め排除しないことと理解されるべきである。
【００３１】
各ステップにおいて、識別符号（例えば、ａ、ｂ、ｃなど）は説明の便宜のために使われるものであって、識別符号は各ステップの順序を説明するものでなく、各ステップは文脈上、明白に特定順序を記載しない以上、明記した順序と異なるように起こることがある。即ち、各ステップは明記した順序と同一に起こることもあり、実質的に同時に遂行されることもあり、反対の順に遂行されることもある。
【００３２】
ここに使われる全ての用語は異なるように定義されない限り、本発明が属する分野で通常の知識を有する者により一般的に理解されることと同一な意味を有する。一般的に使われる予め定義されている用語は、関連技術の文脈上の意味と一致するものとして解析されなければならず、本出願で明白に定義しない限り、理想的であるか、または過度に形式的な意味を有するものとして解析できない。
【００３３】
図１は、本発明の一実施形態に従うチャットルーム基盤のリマインダーシステムを説明する図である。
【００３４】
図１を参照すると、チャットルーム基盤のリマインダーシステム１００は、チャットルーム基盤のリマインダー装置１１０及びユーザ端末１２０を含み、これらはネットワークを介して連結できる。
【００３５】
チャットルーム基盤のリマインダー装置１１０は少なくとも一つのユーザ端末１２０と連結されることができ、少なくとも一つのユーザ端末１２０から転送されるメッセージをグループ化したメッセージスレッドを管理することができる。一実施形態で、メッセージスレッドはインターネットメッセンジャーのチャットルームまたはチャットルームで具現できる。例えば、チャットルーム基盤のリマインダー装置１１０は複数のメッセージスレッドを管理することができ、メッセージスレッドの各々は複数のユーザ端末１２０を含むことができ、チャットルーム基盤のリマインダー装置１１０はメッセージスレッドの各々に対する複数のユーザ端末１２０を管理することができる。
【００３６】
ユーザ端末１２０は、チャットルーム基盤のリマインダー装置１１０と連結されたコンピューティング装置に該当し、例えば、デスクトップ、ノートブック、タブレットＰＣ、またはスマートフォンで具現できる。一実施形態で、第１ユーザ端末１２０ａはモバイル端末に該当することができ、メッセージサーバー１１０とセルラー通信またはワイファイ通信を介して連結できる。他の一実施形態で、第２ユーザ端末１２０ｂはデスクトップに該当することができ、メッセージサーバー１１０とインターネットを介して連結できる。
【００３７】
図２は、図１のチャットルーム基盤のリマインダー装置を説明するブロック図である。
【００３８】
図２を参照すると、チャットルーム基盤のリマインダー装置１１０は、ＴｏＤｏアイテム集合準備部２１０、リマインダー集合生成部２２０、制御部２３０、リマインドメッセージ生成部２４０、タイムゾーン−リマインド管理部２５０、及びタイムゾーン−ＴｏＤｏアイテム管理部２６０を含むことができる。
【００３９】
チャットルーム基盤のリマインダー装置１１０は、少なくとも一つのユーザ端末１２０と連結されてチャットルーム基盤のリマインダー方法を遂行することができる。ここで、少なくとも一つのユーザ端末１２０の各々は少なくとも一つのＴｏＤｏアイテムの各々に関してＴｏＤｏ受信者及びＴｏＤｏ提供者のうち、少なくとも一つと関連できる。
【００４０】
ＴｏＤｏアイテム集合準備部２１０は、ユーザ端末１２０と関連したチャットルームに対応するメッセージスレッド及びメッセージスレッドと関連する少なくとも一つのＴｏＤｏアイテムに関するＴｏＤｏアイテム集合を持ってくることができる。一実施形態で、少なくとも一つのＴｏＤｏアイテムの各々はＴｏＤｏ受信者、ＴｏＤｏ提供者、ＴｏＤｏ内容、ＴｏＤｏ状態、及び締切期限を含むことができる。ここで、ＴｏＤｏ状態はＴｏＤｏに関する処理ステップ別進行状態を要約した内容であって、‘新規’、‘進行中’、‘済み’、及び‘確認’を含むことができる。‘新規’は新しく生成されたＴｏＤｏアイテムであって、ＴｏＤｏ受信者の応答を受信しないＴｏＤｏアイテムを示し、‘進行中’はＴｏＤｏ受信者から該当ＴｏＤｏアイテムに対する応答を受信した状態であって、ＴｏＤｏ受信者が該当ＴｏＤｏアイテムを処理中の状況を示し、‘済み’はＴｏＤｏ受信者が該当ＴｏＤｏアイテムを完了した状態であって、ＴｏＤｏ提供者から業務完了に対する応答を待つ状態を示し、‘確認’はＴｏＤｏ提供者がＴｏＤｏ受信者の完了した業務を確認した状態を示す。
【００４１】
ＴｏＤｏアイテム集合準備部２１０はＴｏＤｏ提供者のユーザ端末１２０を通じて少なくとも一つのＴｏＤｏアイテムを受信することができ、受信したＴｏＤｏアイテムをメモリ部（図示せず）に格納して修正、削除、及び更新などに関して管理することができる。一実施形態で、ＴｏＤｏアイテム集合準備部２１０はメッセンジャーのチャットルーム内でユーザ端末１２０からＴｏＤｏアイテムを受信することができ、ＴｏＤｏアイテムを受信すれば、該当ＴｏＤｏアイテムに基づいて該当ユーザと関連したチャットルームに対応するメッセージスレッド及び該当メッセージスレッドと関連したＴｏＤｏアイテム集合を更新することができる。ＴｏＤｏアイテム集合準備部２１０は、ＴｏＤｏ提供者またはＴｏＤｏ受信者と関連したユーザ端末１２０を通じてＴｏＤｏアイテムのＴｏＤｏ状態に対する応答を受信すれば、ＴｏＤｏアイテムのＴｏＤｏ状態を更新することができる。
【００４２】
リマインダー集合生成部２２０は、リマインド条件に基づいてリマインダー集合を生成することができる。一実施形態で、リマインダー集合はＴｏＤｏアイテム集合でリマインド条件を満たす少なくとも一つのリマインドＴｏＤｏアイテムを含む。一実施形態で、リマインドはＴｏＤｏアイテムに関する進行状態をＴｏＤｏ受信者またはＴｏＤｏ提供者に想起させてＴｏＤｏアイテムに関する管理効率性を増進させるための一連の過程を総称する。
【００４３】
リマインド条件は、少なくとも一つのＴｏＤｏアイテムに関するリマインドの要否を判断するための少なくとも一つの基準条件を意味する。一実施形態で、リマインド条件はＴｏＤｏ状態及び締切期限のうち、少なくとも一つに基づいて決定できる。例えば、ＴｏＤｏ状態が‘新規’状態であれば、該当ＴｏＤｏ状態が‘新規’状態になった次の日から該当ＴｏＤｏ状態が‘進行中’状態に変更されるまで、ＴｏＤｏ状態が‘進行中’状態であれば、締切期限の一日前から該当ＴｏＤｏ状態が‘済み’状態に変更されるまで、ＴｏＤｏ状態が‘済み’状態であれば、該当ＴｏＤｏ状態が‘済み’状態に変更された次の日から該当ＴｏＤｏ状態が‘完了’状態に変更されるまでリマインド条件を満たすリマインドが必要なＴｏＤｏアイテムに該当することができる。
【００４４】
一実施形態で、リマインド条件は複数個のＴｏＤｏ状態のうち、ＴｏＤｏ状態が完了状態に該当しなければ、リマインドが必要であるように決定されることができ、リマインダー集合生成部２２０はＴｏＤｏアイテム集合に含まれる複数のＴｏＤｏアイテムのうち、このようなリマインド条件を満たす少なくとも一つのリマインドＴｏＤｏアイテムを検出して、これらを含むリマインダー集合を生成することができる。例えば、リマインダー集合生成部２２０はＴｏＤｏアイテムの各々のＴｏＤｏ状態が‘新規’、‘進行中’、または‘済み’状態に該当すればリマインドが必要であると判断し、‘確認’状態に該当すればリマインドが必要でないと判断するようにリマインド条件を決定することができる。
【００４５】
リマインダー集合生成部２２０は、少なくとも一つのリマインドＴｏＤｏアイテムの各々の該当ＴｏＤｏ状態及び締切期限に基づいてリマインド緊急性を判断することができる。一実施形態で、リマインダー集合生成部２２０はリマインド条件を満たす少なくとも一つのリマインドＴｏＤｏアイテムの各々のＴｏＤｏ状態に従う締切期限までの差の日数が特定条件を満たすか否かを確認してリマインド緊急性を判断することができ、該当リマインドＴｏＤｏアイテムに判断されたリマインド緊急性を関連させることができる。例えば、リマインダー集合生成部２２０はリマインダー集合に含まれるリマインドＴｏＤｏアイテムの各々のＴｏＤｏ状態が‘新規’状態に該当すれば、該当締切期限の１日前から緊急なことと、‘進行中’状態に該当すれば該当締切期限の当日から緊急なことと、‘済み’状態に該当すれば該当締切期限の１日後から緊急なことと判断することができる。
【００４６】
リマインダー集合生成部２２０は、リマインド集合に含まれた少なくとも一つのリマインドＴｏＤｏアイテムに基づいて今日のＴｏＤｏを前記ユーザ端末に提供することができる。一実施形態で、リマインダー集合生成部２２０はユーザ端末１２０と関連したリマインドＴｏＤｏアイテムを含むリマインド集合を視覚化した今日のＴｏＤｏを該当ユーザ端末１２０に提供することができる。一実施形態で、今日のＴｏＤｏはリマインドＴｏＤｏアイテムに関するリストに該当し、上記のリマインド緊急性によって整列されるか、またはユーザ端末１２０との連関性に基づいてユーザ便宜性を考慮して整列または分類できる。例えば、リマインダー集合生成部２２０は今日のＴｏＤｏを‘全体お願い’、‘私がしたお願い’、‘私が受けたお願い’、または‘参照したお願い’に分類してユーザ端末１２０に提供することができる。一実施形態で、リマインドＴｏＤｏアイテムに含まれたＴｏＤｏ状態が変更されれば、リマインダー集合生成部２２０は更新されたＴｏＤｏアイテムを含むＴｏＤｏアイテム集合に基づいてリマインダー集合を更新して今日のＴｏＤｏに反映することができる。一実施形態で、リマインダー集合生成部２２０はユーザ端末１２０に設けられたメッセンジャーを通じて提供される今日のＴｏＤｏを通じてＴｏＤｏ受信者のインタラクションを受信して該当ＴｏＤｏアイテムのＴｏＤｏ状態を更新することができ、例えば、今日のＴｏＤｏ（７００）を通じて‘サンプルテストして強度確認’に関するＴｏＤｏアイテム７１０に関するＴｏＤｏ状態変更ボタン（済み状態に変更するにはクリック）を通じて該当ＴｏＤｏ受信者からインタラクションを受信することができる。
【００４７】
制御部２３０はチャットルーム基盤のリマインダー装置１１０の動作全般を制御することができ、ＴｏＤｏアイテム集合準備部２１０、リマインダー集合生成部２２０、リマインドメッセージ生成部２４０、タイムゾーン−リマインド管理部２５０、及びタイムゾーン−ＴｏＤｏアイテム管理部２６０の間のデータ流れを制御することができる。一実施形態で、制御部２３０はチャットルーム基盤のリマインダー装置１１０のＣＰＵ（Ｃｅｎｔｒａｌ  Ｐｒｏｃｅｓｓｉｎｇ  Ｕｎｉｔ）で具現できる。
【００４８】
リマインドメッセージ生成部２４０は、少なくとも一つのリマインドＴｏＤｏアイテムの各々に関して該当リマインドメッセージを生成することができる。一実施形態で、リマインドメッセージは該当リマインドＴｏＤｏアイテムに含まれたＴｏＤｏ受信者、ＴｏＤｏ提供者、ＴｏＤｏ内容、ＴｏＤｏ状態、及び締切期限のうち、少なくとも一つに関する要約情報を含むことができる。
【００４９】
リマインドメッセージ生成部２４０は、少なくとも一つのリマインドＴｏＤｏアイテムの各々の該当ＴｏＤｏ状態を次のＴｏＤｏ状態に変更できるリマインドメッセージを生成することができる。一実施形態で、リマインドメッセージ生成部２４０は該当リマインドＴｏＤｏアイテムの現在ＴｏＤｏ状態が‘新規’状態であればＴｏＤｏ受信者を対象に該当ＴｏＤｏ状態を‘進行中’状態に変更可能な、‘進行中’状態であればＴｏＤｏ受信者を対象に‘済み’状態に変更可能な、‘済み’状態であればＴｏＤｏ提供者を対象に‘確認’状態に変更可能な状態変更メニューを含むリマインドメッセージを生成することができ、‘確認’状態であれば、該当リマインドＴｏＤｏアイテムと関連してこれ以上のリマインドメッセージを生成しないようにすることができる。一実施形態で、リマインドメッセージ生成部２４０は状態変更ボタンを通じてユーザ端末１２０からＴｏＤｏ状態の変更要請が受信されれば、ＴｏＤｏアイテム集合準備部２１０及びリマインドＴｏＤｏ集合生成部２２０で各々ＴｏＤｏアイテム集合及びリマインド集合を更新するように要請することができる。
【００５０】
リマインドメッセージ生成部２４０は、リマインド緊急性に基づいて前記該当リマインドメッセージの生成頻度を決定することができる。一実施形態で、リマインドメッセージ生成部２４０は、リマインダー集合生成部２２０によるリマインド緊急性判断結果によって緊急であると判断されたリマインドＴｏＤｏアイテムに対し、以下の＜数式１＞に基づいてリマインドメッセージ生成頻度（Ｒｅｍｉｎｄ  Ｆｒｅｑｕｅｎｃｙ）を決定することができる。例えば、リマインドメッセージ生成部２４０は、ユーザ端末１２０と関連した特定リマインドＴｏＤｏアイテムに関して該当ＴｏＤｏ状態に基づいて決定されたＴｏＤｏ状態指数（Ｓｔａｔｕｓ）と該当締切期限に基づいて決定された期限遅延指数（Ｄｅｌａｙ）を＜数式１＞に適用してリマインドメッセージ生成頻度（Ｒｅｍｉｎｄ  Ｆｒｅｑｕｅｎｃｙ）の値を演算することができ、もし現在‘新規’状態であるが、締切期限を２日超過すると、リマインドメッセージ生成頻度は３となる。一実施形態で、リマインドメッセージ生成部２４０はリマインドメッセージ生成頻度に基づいて該当リマインドメッセージを生成する頻度を調節することができ、例えば、緊急でない場合、１日１回生成するが、緊急であれば、リマインドメッセージ生成頻度（例えば、３）によって特定時間周期（例えば、２時間に１回）によって１日３回までリマインドメッセージを生成することができる。
【００５１】
【数１】
2018077847.tif 000003
【００５２】
ここで、ＳｔａｔｕｓはＴｏＤｏ状態指数であって、該当ＴｏＤｏ状態が‘新規’であれば１、‘進行中’であれば２、‘済み’であれば３（‘確認’であればリマインド条件を満たさない）に該当し、Ｄｅｌａｙは期限遅延指数であって、現在の日時を基準に該当締切期限までの差の日数（例えば、締め切り日が５月１０日で、現在５月７日であれば＋３であり、現在５月１２日であれば−２である）に該当し、┌  ┐は内部の値に対して絶対値を取った後、少数点切り上げして整数を求める演算を意味し、もしＳｔａｔｕｓとＤｅｌａｙの値が同一であればＲｅｍｉｎｄ  Ｆｒｅｑｕｅｎｃｙは１である。
【００５３】
上記の実施形態で、＜数式１＞に基づいたリマインドメッセージ生成頻度の演算結果に対する例示は、以下の＜表１＞のように示すことができる。
【００５４】
【表１】
2018077847.tif 000004
【００５５】
一実施形態で、リマインドメッセージ生成部２４０は緊急であると判断されたリマインドＴｏＤｏアイテムに関するリマインドメッセージを生成する過程で該当メッセージの一部に視覚的な表示を追加して一般リマインドメッセージと緊急リマインドメッセージを区分可能にすることができる。
【００５６】
リマインドメッセージ生成部２４０は、リマインドＴｏＤｏアイテムの各々のＴｏＤｏ状態及び締切期限に基づいて特定反復基準を決定して該当特定反復基準によってリマインドメッセージを生成することができ、一実施形態で、以下の＜数式２＞に基づいてリマインドメッセージを転送する特定時間周期（ｔ）を特定反復基準に決定することができる。例えば、リマインドメッセージ生成部２４０は締切期限が２０１７−０３−３１であり、ＴｏＤｏ状態が‘進行中’状態であるリマインドＴｏＤｏアイテムの場合、現在日付が２０１７−０３−２７であり（ｄ＝４、ｓ＝２）ｔ０＝１２（時間）に設定された場合を仮定する時、ｔ＝２０（時間）として算出することができ、これによって、２０時間後にリマインドメッセージを転送することができ、リマインドメッセージを転送した後には転送時点で特定時間周期（ｔ）を再算出して、再算出された周期によってリマインドメッセージの転送を予約することができる。これによって、リマインドメッセージ生成部２４０は締切期限が近づくほど、ＴｏＤｏ状態が初期状態に近いほど、より短い反復周期でリマインドメッセージを提供することができる。
【００５７】
【数２】
2018077847.tif 000005
【００５８】
ここで、ｄは該当ＴｏＤｏアイテムに関してＴｏＤｏ提供者により指定された締切期限対比残っている日数（日）を意味し（締切期限前には正の値で、締切期限後には負の値で表現できる）、ｓは該当ＴｏＤｏアイテムの現在ＴｏＤｏ状態を示すＴｏＤｏ状態指数を示し（例えば、‘新規’状態：ｓ＝１、‘進行中’状態：ｓ＝２、‘済み’状態：ｓ＝３）、（ｔｍｉｎ、ｔ０、ｔｍａｘ）はユーザまたは設計者により設定できる（最低周期、基本周期、最大周期）に該当し、例えば、（３、１２、４８）（時間）に設定できる。
【００５９】
タイムゾーン−リマインド管理部２５０は、リマインド集合に含まれる少なくとも一つのリマインドＴｏＤｏアイテムの各々と関連する該当ＴｏＤｏ受信者のタイムゾーン（Ｔｉｍｅ ｚｏｎｅ）を検出することができる。一実施形態で、タイムゾーンは特定作業を遂行するに当たって、基準となるローカルタイムに該当する。一実施形態で、タイムゾーン−リマインド管理部２５０は、該当ＴｏＤｏ受信者と関連するユーザ端末１２０が位置する地域基準の現在時刻を該当ＴｏＤｏ受信者のタイムゾーンとして検出することができる。
【００６０】
タイムゾーン−リマインド管理部２５０は、該当ＴｏＤｏ受信者から受信されたタイムゾーンに関する固定要請が確認されなければ該当ＴｏＤｏ受信者と関連したユーザ端末１２０のローカルタイムに基づいてタイムゾーンを検出し、確認されれば該当固定要請に基づいてタイムゾーンを検出することができる。より具体的に、タイムゾーン−リマインド管理部２５０は該当ＴｏＤｏ受信者から該当タイムゾーンに関する固定要請の受信有無を確認することができ、受信されたことがなければ該当ＴｏＤｏ受信者と関連するユーザ端末１２０が位置する地域基準の現在時刻を該当ＴｏＤｏ受信者のタイムゾーンとして検出し、受信されたことがあれば、該当固定要請の内容に含まれた特定基準のローカルタイムを該当ＴｏＤｏ受信者のタイムゾーンとして検出することができる。例えば、該当ＴｏＤｏ受信者が出張によって米国のニューヨークにいる場合、該当ＴｏＤｏ受信者と関連したユーザ端末１２０のローカルタイムはタイムゾーン−リマインド管理部２５０で基準とする基準時間（例えば、国内基準の現在時間）対比差が発生することがあり、タイムゾーン−リマインド管理部２５０は該当ＴｏＤｏ受信者のユーザ端末１２０からタイムゾーン固定要請がない場合、ニューヨーク基準のローカルタイムをタイムゾーンとして検出し、該当ＴｏＤｏ受信者が予め定めた特定ローカルタイムに関する情報を含むタイムゾーン固定要請が存在すれば（例えば、米国ニューヨーク時間基準に午前１１時または韓国時間基準に午前１０時にタイムゾーン固定）該当ローカルタイムによってタイムゾーンとして決定することができる。
【００６１】
タイムゾーン−リマインド管理部２５０は、タイムゾーンに基づいて該当ＴｏＤｏ受信者の受信可能時間を確認することができる。一実施形態で、該当ＴｏＤｏ受信者の受信可能時間は該当ＴｏＤｏ受信者と関連したユーザ端末１２０の要請によって特定時間区間（例えば、ユーザ端末１２０が位置した地域基準のローカルタイムに午前９時から午後６時まで）に予め設定できる。一実施形態で、タイムゾーン−リマインド管理部２５０は検出されたタイムゾーンに基づいて該当ＴｏＤｏ受信者の受信可能時間が該当ＴｏＤｏ受信者の勤務時間（国内時間基準に午前９時〜午後６時）と自動マッチングされるように該当ＴｏＤｏ受信者の受信可能時間を検出されたタイムゾーンのローカルタイムを基準に演算して導出することができる。
【００６２】
タイムゾーン−リマインド管理部２５０は、タイムゾーンに基づいて該当ＴｏＤｏ受信者の受信可能時間まで該当リマインドメッセージを該当メッセージスレッドに追加することを遅延させることができる。一実施形態で、タイムゾーン−リマインド管理部２５０は、もしリマインドメッセージの生成時刻が該当ＴｏＤｏ受信者の受信可能時間に該当しなければ、該当リマインドメッセージをメモリ部に臨時保管し、該当ＴｏＤｏ受信者の受信可能時間が始まる時刻（例えば、午前９時）に該当リマインドメッセージと関連したチャットルームに対応するメッセージスレッドに追加することができる。
【００６３】
タイムゾーン−リマインド管理部２５０は、リマインドＴｏＤｏアイテムの該当ＴｏＤｏ状態が完了状態であれば、該当ＴｏＤｏ提供者のタイムゾーンを検出し、該当ＴｏＤｏ提供者の受信可能時間まで該当リマインドメッセージを該当メッセージスレッドに追加することを遅延させることができる。より具体的に、タイムゾーン−リマインド管理部２５０はリマインドＴｏＤｏアイテムの該当ＴｏＤｏ状態が完了状態になる前までは該当リマインドＴｏＤｏアイテムに関する業務遂行者に該当する該当ＴｏＤｏ受信者を基準にタイムゾーンを検出し、完了状態になれば該当リマインドＴｏＤｏアイテムに関する業務評価者に該当する該当ＴｏＤｏ提供者を基準にタイムゾーンを検出して該当リマインドメッセージを実際に必要な人に最適化して提供するようにすることができる。
【００６４】
一実施形態で、リマインダー集合生成部２２０は該当ＴｏＤｏ受信者のタイムゾーンに基づいてリマインダー集合を更新するか、または直ちに更新することができ、リマインドメッセージ生成部２４０はリマインダー集合が更新されれば、該当リマインダー集合に基づいてリマインドメッセージを生成してメモリ部に臨時保管することができる。
【００６５】
一実施形態で、タイムゾーン−リマインド管理部２５０は生成された少なくとも一つのリマインドメッセージを第１時間まで臨時保管し、第２時間になれば該当第１時間まで臨時保管されたリマインドメッセージの各々を該当関連したメッセージスレッドに一括的または順次的に追加することができる。例えば、タイムゾーン−リマインド管理部２５０は国内時間基準に前日０時から２４時までメモリ部に臨時保管して集合されたリマインドメッセージを翌日午前９時に該当関連した少なくとも一つのメッセージスレッドの各々に一括的に追加することができる。一実施形態で、リマインダー集合生成部２２０は上記の過程をＴｏＤｏ受信者のタイムゾーンに基づいて遂行することができる。例えば、タイムゾーン−リマインド管理部２５０はＴｏＤｏ受信者と関連したユーザ端末１２０が位置する地域のローカルタイム基準に前日０時から２４時までメモリ部に臨時保管して集合されたリマインドメッセージを該当ローカルタイム基準に翌日午前９時に該当関連した少なくとも一つのメッセージスレッドの各々に一括的に追加することができる。
【００６６】
タイムゾーン−リマインド管理部２５０は、該当ＴｏＤｏ受信者が少なくても２人であり、該当少なくとも２人のＴｏＤｏ受信者が同一なチャットルームと関連していれば、該当少なくとも２人のＴｏＤｏ受信者の各々のタイムゾーンを検出し、該当２人のＴｏＤｏ受信者の受信可能時間のうちの積集合時間まで該当リマインドメッセージを該当メッセージスレッドに追加することを遅延させることができる。例えば、タイムゾーン−リマインド管理部２５０は特定リマインドＴｏＤｏアイテムに含まれるＴｏＤｏ受信者が２人であり、該当２人のＴｏＤｏ受信者（例えば、ＡとＢ）が同一なチャットルームに参加していながら該当ＴｏＤｏ受信者の各々のタイムゾーンが相互一致しなければ（例えば、Ａは国内におり、Ｂは米国に出張中の場合）、該当３人のＴｏＤｏ受信者の各々のタイムゾーンを検出してＴｏＤｏ受信者の各々の受信可能時間（例えば、Ａは国内時間基準午前９時〜夕方９時であり、Ｂは米国ニューヨーク時間基準午前９時〜夕方９時（国内時間基準午後１０時〜午前１０時））のうちの相互重なる積集合時間（国内時間基準午前９時〜午前１０時）を検出して積集合時間が始めるまで該当リマインドメッセージを該当チャットルームと関連したメッセージスレッドに追加することを遅延させることができる。
【００６７】
上記の実施形態で、タイムゾーン−リマインド管理部２５０は積集合時間が確認されなければ（例えば、相互重なる時間がなければ）、該当少なくとも２人のＴｏＤｏ受信者のうち、優先的に指定されたＴｏＤｏ受信者（例えば、ＴｏＤｏアイテムが生成される過程でＴｏＤｏ提供者により先に指定されたＴｏＤｏ受信者）の受信可能時間まで該当リマインドメッセージを該当メッセージスレッドに追加することを遅延させることができる。
【００６８】
一実施形態で、タイムゾーン−リマインド管理部２５０はＴｏＤｏ提供者またはＴｏＤｏ受信者と関連するユーザ端末１２０を通じて上記の遅延されている少なくとも一つのリマインドメッセージを管理することができる。例えば、タイムゾーン−リマインド管理部２５０は前記遅延によって臨時保管されて発送待機中のリマインドメッセージを含むリマインド発送待機箱を通じてＴｏＤｏ提供者が少なくとも一つの待機中のリマインドメッセージを取消させるか、直ちに転送するように変更するか、またはＴｏＤｏ状態を直接変更できるように支援することができる。
【００６９】
タイムゾーン−ＴｏＤｏアイテム管理部２６０は、ユーザ端末１２０が該当ユーザ端末１２０と関連したチャットルームに対応する特定メッセージスレッドに特定ＴｏＤｏアイテムの追加を要請すれば、該当ＴｏＤｏ受信者のタイムゾーンを検出し、該当ＴｏＤｏ受信者の受信可能時間まで該当ＴｏＤｏアイテムを該当メッセージスレッドに追加することができる。例えば、ＡがＢを対象にＴｏＤｏアイテムを付与しようとする時、Ａと関連したユーザ端末１２０を通じてＴｏＤｏ提供者（Ａ）、ＴｏＤｏ受信者（Ｂ）、ＴｏＤｏ内容（週間報告）、及び締切期限（５月１０日まで）を含むＴｏＤｏアイテムの生成をチャットルーム基盤のリマインダー装置１１０に要請することができ、タイムゾーン−ＴｏＤｏアイテム管理部２６０は該当ＴｏＤｏアイテムを生成してＴｏＤｏ受信者に該当するＢのタイムゾーンを検出して現在時刻がＢの受信可能時間に該当しなければ、Ａのユーザ端末１２０に‘即時送信’及び‘発送予約’のうちの一つを選択できるメッセージを提供することができ、Ａのユーザ端末１２０から‘即時送信’要請が受信されれば、生成した該当ＴｏＤｏアイテムを該当関連したメッセージスレッドに直ちに追加し、‘発送予約’要請が受信されれば、生成されたＴｏＤｏアイテムの臨時保管を持続してＢの受信可能時間に該当するまでＴｏＤｏアイテムを臨時保管した後、現在時間がＢの受信可能時間に該当する時点に該当ＴｏＤｏアイテムをメッセージスレッドに追加して該当チャットルームに記録されるようにすることができる。
【００７０】
上記の実施形態で、現在時刻がＢの受信可能時間に該当しない間、Ａはまだ該当メッセージスレッドに追加されていないＴｏＤｏアイテムに対する取消をタイムゾーン−ＴｏＤｏアイテム管理部２６０に要請することができる。
【００７１】
タイムゾーン−リマインド管理部２５０は、特定ＴｏＤｏアイテムと関連したリマインドメッセージが該当関連したメッセージスレッドに追加されれば、該当リマインドメッセージの提供情報を該当特定ＴｏＤｏアイテムと関連して格納するようにすることができ、例えば、特定ＴｏＤｏアイテムに関するリマインドメッセージが該当関連したメッセージスレッドに最初に追加されれば、該当追加有無に関してＴｏＤｏアイテム集合準備部２１０に転送してＴｏＤｏアイテム集合準備部２１０が該当特定ＴｏＤｏアイテムと関連したリマインドメッセージ提供回数を１回に反映して格納するようにすることができる。一実施形態で、ＴｏＤｏアイテム集合準備部２１０はＴｏＤｏアイテム集合を準備する過程で該当ユーザと関連した少なくとも一つのＴｏＤｏアイテムの各々に関して該当メッセージスレッドに既に追加されたリマインドメッセージの提供回数に基づいてＴｏＤｏ処理速度を算出して該当ＴｏＤｏアイテムに含めることができる。ここで、ＴｏＤｏ処理速度はＴｏＤｏ受信者が何番目のリマインドメッセージにインタラクションして該当ＴｏＤｏアイテムのＴｏＤｏ状態を変更させたかを示し、算出された値が小さいほど該当業務処理者が速くインタラクションして業務を処理したことを意味することができる。例えば、リマインドメッセージが２回提供された後、ＴｏＤｏ受信者が該当リマインドメッセージに応答してＴｏＤｏ状態を変更すると、該当ＴｏＤｏアイテムに関するＴｏＤｏ処理速度は２となる。一実施形態で、ＴｏＤｏアイテム集合準備部２１０はＴｏＤｏアイテムのＴｏＤｏ状態別に該当ＴｏＤｏアイテムと関連したＴｏＤｏ受信者のＴｏＤｏ処理速度を各々算出して格納することができる。
【００７２】
一実施形態で、ＴｏＤｏアイテム集合準備部２１０はＴｏＤｏアイテムと関連したリマインド提供回数及びＴｏＤｏ状態別に算出されたＴｏＤｏ受信者のＴｏＤｏ処理速度に基づいて該当ＴｏＤｏ受信者の平均ＴｏＤｏ処理速度を算出することができる。例えば、ＴｏＤｏアイテム集合準備部２１０は該当ＴｏＤｏ受信者が提供されたリマインドメッセージに応答してＴｏＤｏ状態を変更した回数が総３８回であり、算出されたＴｏＤｏ処理速度を平均した値が２．３の場合、平均ＴｏＤｏ処理速度を２．３＠３８として算出することができる。
【００７３】
一実施形態で、ＴｏＤｏアイテム集合準備部２１０は平均ＴｏＤｏ処理速度を少なくとも一つの特定構成員と関連して相対的に算出することができる。一実施形態で、ＴｏＤｏアイテム集合準備部２１０はユーザ端末１２０から該当ユーザと関連し、少なくとも一つの構成員を含むＴｏＤｏ処理速度提供要請が受信されれば、ＴｏＤｏアイテム集合のうち、該当少なくとも一つの構成員がＴｏＤｏ提供者として関連した少なくとも一つのＴｏＤｏアイテムに基づいて平均ＴｏＤｏ処理速度を算出してユーザ端末１２０に提供することができる。
【００７４】
例えば、ＴｏＤｏアイテム集合準備部２１０は特定ユーザ（クヮクスンフン）と関連したＴｏＤｏアイテム集合に基づいて平均ＴｏＤｏ処理速度を算出する過程で、ユーザ端末１２０の要請によって特定構成員（チョイゼホ）とＴｏＤｏ提供者として関連したＴｏＤｏアイテムをフィルタリングして平均ＴｏＤｏ処理速度を算出するか、または特定構成員グループ（例えば、生産１チーム）にいる構成員の各々がＴｏＤｏ提供者として関連したＴｏＤｏアイテムをフィルタリングして平均ＴｏＤｏ処理速度を算出することができる。ＴｏＤｏアイテム集合準備部２１０は、ユーザ端末１２０の要請によって特定構成員グループ（例えば、生産１チーム）と関連したＴｏＤｏアイテム集合に基づいて該当特定構成員グループに関するグループ平均ＴｏＤｏ処理速度を算出することもでき、グループ平均ＴｏＤｏ処理速度を算出する過程で他の特定構成員グループ（例えば、経営２チーム）と関連したグループ平均ＴｏＤｏ処理速度を相対的に算出することもできる。これによって、ＴｏＤｏアイテム集合準備部２１０は特定構成員が他の特定構成員にどのＴｏＤｏ処理速度を見せるのか、特定チームが他の特定チームにどのＴｏＤｏ処理速度を見せるのかが確認できるように支援して業務管理の効率性を増進させることができ、迅速なインタラクションを誘導してチームワークを向上させることができる。
【００７５】
図３は、図１のチャットルーム基盤のリマインダー装置がＴｏＤｏアイテムに関するリマインドメッセージを提供する過程の一実施形態を説明するフローチャートである。
【００７６】
ＴｏＤｏアイテム集合準備部２１０は、ユーザ端末１２０と関連したチャットルームに対応するメッセージスレッド及びメッセージスレッドと関連する少なくとも一つのＴｏＤｏアイテムに関するＴｏＤｏアイテム集合を持ってくることができる（ステップＳ３１０）。
【００７７】
リマインダー集合生成部２２０は、ＴｏＤｏアイテム集合でリマインド条件を満たす少なくとも一つのリマインドＴｏＤｏアイテムを含むリマインダー集合を生成することができる（ステップＳ３２０）。
【００７８】
リマインドメッセージ生成部２４０は、少なくとも一つのリマインドＴｏＤｏアイテムの各々に関して該当リマインドＴｏＤｏアイテムに含まれたＴｏＤｏ受信者、ＴｏＤｏ提供者、ＴｏＤｏ内容、ＴｏＤｏ状態、及び締切期限のうち、少なくとも一つに関する要約情報を含むリマインドメッセージを生成することができる（ステップＳ３３０）。
【００７９】
タイムゾーン−リマインド管理部２５０は、リマインド集合に含まれる少なくとも一つのリマインドＴｏＤｏアイテムの各々と関連する該当ＴｏＤｏ受信者のタイムゾーンを検出することができる（ステップＳ３４０）。
【００８０】
タイムゾーン−リマインド管理部２５０は、タイムゾーンに基づいて該当ＴｏＤｏ受信者の受信可能時間まで該当リマインドメッセージを該当メッセージスレッドに追加することを遅延させることができる（ステップＳ３５０）。
【００８１】
本発明の一実施形態で、チャットルーム基盤のリマインダー装置１１０はＴｏＤｏに関するリマインダーをＴｏＤｏ受信者のタイムゾーンに適合するように提供して業務効率性を増進させることができる。
【００８２】
図４は、図１のチャットルーム基盤のリマインダー装置がＴｏＤｏアイテムに関するリマインドメッセージを提供する過程の一実施形態を説明するフローチャートである。
【００８３】
ＴｏＤｏアイテム集合準備部２１０は、ユーザ端末と関連したチャットルームに対応するメッセージスレッド及びメッセージスレッドと関連する少なくとも一つのＴｏＤｏアイテムに関するＴｏＤｏアイテム集合を持ってきて、ＴｏＤｏアイテム集合でリマインド条件を満たす少なくとも一つのリマインドＴｏＤｏアイテムを含むリマインダー集合を生成することができる（ステップＳ４１０）。
【００８４】
リマインダー集合生成部２２０は、少なくとも一つのリマインドＴｏＤｏアイテムの各々の該当ＴｏＤｏ状態及び締切期限に基づいてリマインド緊急性を判断することができ、リマインドメッセージ生成部２４０は緊急であると判断された少なくとも一つのリマインドメッセージの各々の生成頻度を決定して、これに基づいて該当リマインドメッセージを生成することができる（ステップＳ４２０）。
【００８５】
タイムゾーン−リマインド管理部２５０は、該当ＴｏＤｏ受信者から受信されたタイムゾーンに関する固定要請が確認されなければ、該当ＴｏＤｏ受信者と関連したユーザ端末１２０のローカルタイムに基づいてタイムゾーンを検出し、確認されれば、該当固定要請に基づいてタイムゾーンを検出することができる（ステップＳ４３０）。
【００８６】
タイムゾーン−リマインド管理部２５０は、タイムゾーンに基づいて該当ＴｏＤｏ受信者の受信可能時間を確認して、もし現在時刻が該当ＴｏＤｏ受信者の受信可能時間に該当すれば（ステップＳ４４０）、タイムゾーン−リマインド管理部２５０は生成された該当リマインドメッセージを該当メッセージスレッドに直ちに追加することができる（ステップＳ４５０）。
【００８７】
もし、現在時刻が該当ＴｏＤｏ受信者の受信可能時間に該当しなければ（ステップＳ４６０）、生成された該当リマインドメッセージを、該当タイムゾーンを基準に第１時間まで臨時保管することができ（ステップＳ４７０）、該当ＴｏＤｏ受信者の受信可能時間の開始時間に該当する第２時間になれば、該当第１時間まで臨時保管されたリマインドメッセージの各々を該当関連したメッセージスレッドに一括的に追加することができる（ステップＳ４８０）。
【００８８】
図５は、図１のチャットルーム基盤のリマインダー装置がユーザ端末を通じて該当関連したチャットルームにリマインドメッセージを提供する過程を示す図である。
【００８９】
図５で、チャットルーム基盤のリマインダー装置１１０はユーザ端末１２０を通じて該当ユーザ端末１２０と関連したチャットルーム５００を提供することができ、該当チャットルーム内で関連するＴｏＤｏアイテム５１０の生成や進行状態変更などを提供することができ、関連したリマインドメッセージ５２０を該当ＴｏＤｏ受信者の受信可能時間に該当関連したメッセージスレッドに追加させる過程を通じてユーザ端末１２０に提供することができる。図５及び前述した内容を通じて分かるように、チャットルーム基盤のリマインダー装置１１０は緊急であると判断されたリマインドメッセージ５２０の場合、視覚的な表示（枠を赤色で表示）を追加して該当メッセージを強調することができ、該当ＴｏＤｏ状態を次のＴｏＤｏ状態に変更することができる状態変更ボタン（ＴｏＤｏ受信者により‘進行中（ｄｏｉｎｇ）’状態から‘済み（ｄｏｎｅ）’状態に変更可能）を含むリマインドメッセージ５２０を提供することができる。
【００９０】
図６は、図１のチャットルーム基盤のリマインダー装置がユーザ端末を通じてリマインドメッセージに関するユーザ指定の設定メニューを提供する過程を示す図である。
【００９１】
図６で、チャットルーム基盤のリマインダー装置１１０はユーザ端末１２０を通じて該当ユーザ端末１２０と関連したリマインドメッセージ設定メニュー６００を提供することができる。図６及び前述した内容を通じて分かるように、チャットルーム基盤のリマインダー装置１１０はリマインドメッセージ設定メニュー６００を通じてユーザ端末１２０からタイムゾーン固定６１０またはタイムゾーン自動検出６２０に関する設定要請を受信することができ、該当ＴｏＤｏアイテムのＴｏＤｏ状態によって、主要受信者と判断されるＴｏＤｏ受信者またはＴｏＤｏ提供者を対象にリマインドメッセージを生成する過程で該当ＴｏＤｏ受信者またはＴｏＤｏ提供者の受信可能時間を該当設定要請に基づいて検出して受信対象に最適化されたリマインドメッセージを提供することができる。
【００９２】
図７は、図１のチャットルーム基盤のリマインダー装置がユーザ端末を通じて今日のＴｏＤｏを提供する過程を示す図である。
【００９３】
図７で、チャットルーム基盤のリマインダー装置１１０はユーザ端末１２０を通じて該当ユーザ端末１２０と関連したリマインドＴｏＤｏアイテムに基づいて今日のＴｏＤｏ（７００）を提供することができる。図７及び前述した内容を通じて分かるように、チャットルーム基盤のリマインダー装置１１０は今日のＴｏＤｏ（７００）を通じて関連概要情報を含み、リマインド緊急性によって整列されたリマインドＴｏＤｏアイテムのリストをユーザ端末１２０に提供することができる。例えば、チャットルーム基盤のリマインダー装置１１０は‘サンプルテストして強度確認’に関するＴｏＤｏアイテム（７１０）、‘サンプルテスト分析のための資料調査’に関するＴｏＤｏアイテム（７２０）及び‘高温用フィルタに関する市場調査‘に関するＴｏＤｏアイテムを締切期限に基づいて判断したリマインド緊急性によって整列して提供することができる。また、チャットルーム基盤のリマインダー装置１１０は今日のＴｏＤｏを’全体お願い’、‘私がしたお願い’、‘私が受けたお願い’、または‘参照したお願い’に分類（７４０）してユーザ端末１２０に提供することができる。一実施形態で、チャットルーム基盤のリマインダー装置１１０は該当ＴｏＤｏアイテムと関連してＴｏＤｏ提供者またはＴｏＤｏ受信者に指定されなかったとしてもＴｏＤｏ参照者に指定されたユーザ端末１２０の場合、該当ＴｏＤｏアイテムの進行状況に対して共に共有可能に今日のＴｏＤｏ（７００）に該当リマインドＴｏＤｏアイテムを提供することができる。
【００９４】
前記では本発明の好ましい実施形態を参照して説明したが、該当技術分野の熟練した通常の技術者は以下の特許請求範囲に記載された本発明の思想及び領域から逸脱しない範囲内で本発明を多様に修正及び変更させることができることを理解することができる。
【符号の説明】
【００９５】
１００    チャットルーム基盤のリマインダーシステム
１１０    チャットルーム基盤のリマインダー装置
１２０    ユーザ端末
２１０    ＴｏＤｏアイテム集合準備部
２２０    リマインダー集合生成部
２３０    制御部
２４０    リマインドメッセージ生成部
２５０    タイムゾーン−リマインド管理部
２６０    タイムゾーン−ＴｏＤｏアイテム管理部
【図１】
2018077847.tif 000006
【図２】
2018077847.tif 000007
【図３】
2018077847.tif 000008
【図４】
2018077847.tif 000009
【図５】
2018077847.tif 000010
【図６】
2018077847.tif 000011
【図７】
2018077847.tif 000012